(57)【要約】【課題】取付空間に制限がある場合においても所望の方向へ光を照射でき、照射方向の微調整が可能な照明器具を提供する。【解決手段】ＬＥＤ実装基板３４に実装されたＬＥＤチップ３３が発した光は、照射方向前方の光学レンズ４０に照射される。光学レンズ４０は、プリズムパターン４２が平行に設けられているので、光学レンズ４０に照射された光は、所定の方向へ屈折して照射される。これにより、取付空間に制限がある場合においても、通常の照明器具を流用して、所望の方向へ光を照射できる。また、光学レンズ４０は回転可能なので、光の照射方向を調整でき、光学レンズ４０の照射方向を示す表示部４３を設けたので、照射方向を容易に把握できる。【選択図】図２
2013045710.tif 000002
【特許請求の範囲】
【請求項１】
光源であるＬＥＤチップを実装したＬＥＤ実装基板と、
前記ＬＥＤ実装基板の照射方向前方に設けられる光学レンズと、を有し、
前記光学レンズが回転可能なプリズムレンズであり、
前記プリズムレンズのプリズムパターンが平行であるとともに、前記プリズムレンズの照射方向を示す表示部を設けた照明器具。
【請求項２】
請求項１に記載の照明器具において、
前記プリズムレンズを回転させるための操作部を前記プリズムレンズに設けた照明器具。
【発明の詳細な説明】
【技術分野】
【０００１】
本発明は、光源であるＬＥＤを実装したＬＥＤ実装基板の照射方向前方に光学レンズを有する照明器具に関するものである。
【背景技術】
【０００２】
従来より、光源の前方に光学レンズを有する照明器具が知られている（例えば、特許文献１参照）。
図７に示すように、特許文献１に記載の照明器具は、所定の方向を照明するダウンライト１００であり、器具本体１０１の頂部にはソケット１０２を有する。ソケット１０２には、光源であるランプ１０３が取り付けられる。器具本体１０１は下方に開口しており、開口部には光学レンズである制光カバー１０４を有する。
【０００３】
制光カバー１０４は、放射状に複数分割（例えば、６分割）され、各領域には、異なるプリズムパターンでプリズムレンズが形成されている。
従って、ランプ１０３から発せられた光は、照射方向前方の制光カバー１０４において、各プリズムパターンにより種々の方向へ屈折するので、全体として均一な光を照射することができる。
【先行技術文献】
【特許文献】
【０００４】
【特許文献１】特開昭５８−１６５２０４号公報（第１図）
【発明の概要】
【発明が解決しようとする課題】
【０００５】
ところで、図８に示すような、通常のダウンライト１１０では、ＬＥＤユニットを収容する器具本体１１１には、ＬＥＤユニットが発する熱を放熱するための放熱フィン１１２が一体的に設けられている。この放熱フィン１１２には、ＬＥＤユニットに点灯電力を供給する電源装置１１３が放熱フィン１１２に直交して設けられている。また、器具本体１１１の下側には枠体１１４が取り付けられており、枠体１１４には、ダウンライト１１０を天井等に取り付けるための取付ばね１１５が設けられている。
【０００６】
従って、ダウンライト１１０を用いて所望の方向へ光を照射する場合には、ダウンライト１１０を照射方向へ向けて取り付けるのが一般的である。
しかしながら、ダウンライト１１０を照射方向へ向けて取り付ける際には、放熱フィン１１２や電源装置１１３が取付空間に納まりきれない場合があるという問題があった。
また、取付時に設定した方向に向けてダウンライト１１０を取り付けるので、照射方向の微調整が困難であるという問題があった。
【０００７】
本発明は、従来の問題を解決するためになされたもので、取付空間に制限がある場合においても所望の方向へ光を照射でき、照射方向の微調整が可能な照明器具を提供することを目的とする。
【課題を解決するための手段】
【０００８】
本発明の照明器具は、光源であるＬＥＤチップを実装したＬＥＤ実装基板と、前記ＬＥＤ実装基板の照射方向前方に設けられる光学レンズと、を有し、前記光学レンズが回転可能なプリズムレンズであり、前記プリズムレンズのプリズムパターンが平行であるとともに、前記プリズムレンズの照射方向を示す表示部を設けたものである。
【０００９】
また、本発明の照明器具は、前記プリズムレンズを回転させるための操作部を前記プリズムレンズに設けたものである。
【発明の効果】
【００１０】
本発明では、ＬＥＤ実装基板に実装されたＬＥＤチップが発した光は、プリズムパターンが平行に設けられたプリズムレンズに入射するので、取付空間に制限がある場合においても、通常の照明器具を流用して、所望の方向へ光を照射できる。また、プリズムレンズは回転可能なので、光の照射方向を微調整でき、プリズムレンズの照射方向を示す表示部を設けたので、照射方向を容易に把握できるという効果を有する照明器具を提供できる。
【図面の簡単な説明】
【００１１】
【図１】本発明に係る実施形態の照明器具の分解斜視図
【図２】（Ａ）は図１中ＩＩ方向から見た底面図であり、（Ｂ）は（Ａ）中Ｂ−Ｂ位置の断面図
【図３】（Ａ）は出射面側にプリズムパターンが設けられたプリズムレンズの断面図およびこの場合の配光状態を示す説明図であり、（Ｂ）は入射面側にプリズムパターンが設けられたプリズムレンズの断面図およびこの場合の配光状態を示す説明図
【図４】（Ａ）は出射面側にプリズムパターンおよびつまみが設けられたプリズムレンズの断面図であり、（Ｂ）は入射面側にプリズムパターンが設けられ出射面側につまみが設けられたプリズムレンズの断面図
【図５】（Ａ）は出射面側にプリズムパターンおよび凹部が設けられたプリズムレンズに工具を嵌める状態の断面図であり、（Ｂ）は入射面側にプリズムパターンが設けられ出射面側に設けられた凹部に工具を嵌める状態の断面図
【図６】複数のＬＥＤチップを実装したＬＥＤ実装基板の平面図
【図７】従来のダウンライトの一部断面の断面図
【図８】ＬＥＤを用いた通常のダウンライトの側面図
【発明を実施するための形態】
【００１２】
以下、本発明に係る実施形態の照明器具について、図面を用いて説明する。
図１に示すように、本発明に係る実施形態の照明器具１０は、被取付部である天井面（図示省略）に埋め込んで取り付けられて、例えば、天井面と直交する壁面（図示省略）等を照明するものである。
【００１３】
図１に示すように、照明器具１０は、天井面に取り付けられる枠体２０と、枠体２０に支持される灯具３０を有する。
枠体２０は、天井面の取付孔に嵌め込まれる円筒形状の枠体本体２１を有し、枠体本体２１の下端には、天井下面に当接する鍔部２２を有する。枠体本体２１の外面には、枠体２０を天井面１１に取り付けるための取付ばね２３が、所定間隔で複数個（例えば、３個）設けられている。取付ばね２３は、常時下方（図１中矢印Ａ方向）へ付勢されている。
従って、鍔部２２と取付ばね２３との間に天井面を挟むことにより、枠体２０を天井面に固定する。
【００１４】
灯具３０は、多数の放熱フィン３１１を上下方向に有する灯具本体３１を有する。従って、後述する光源であるＬＥＤユニットが発した熱は、放熱フィン３１１に伝達されて放熱される。
また、灯具本体３１の後部（上部）には、灯具本体３１に直交する方向に伸びる電源装置３２が取り付けられている。
この灯具３０は、図８において説明したような、従来より用いられている通常のダウンライトにおける灯具と共通の構成であり、従来の灯具を用いることができる。
【００１５】
灯具本体３１の前面（下面）３１２には、光源であるＬＥＤチップ３３を実装したＬＥＤ実装基板３４および反射板３５が取り付けられる。従って、電源装置３２からＬＥＤ実装基板３４に点灯電力を供給することにより、ＬＥＤチップ３３が発光する。
また、反射板３５の照射方向前方には光学レンズ４０が回転可能に取り付けられる。
なお、ＬＥＤ実装基板３４および反射板３５として、従来より用いられている通常のものを用いることができる。
【００１６】
図２（Ａ）および図２（Ｂ）に示すように、光学レンズ４０は、一方の面が平面４１であり、他方の面にはプリズムパターン４２が形成されているプリズムレンズ（以後、「プリズムレンズ４０」と表示する。である。ここでは、プリズムパターン４２は、プリズムレンズ４０の出射面に設けられている。
図２（Ｂ）に示すように、プリズムパターン４２には、照射方向すなわち平面４１に対して垂直な方向に形成されている垂直面４２１と、垂直面４２１の頂部から傾斜して伸びる傾斜面４２２とが、形成されている。
従って、ＬＥＤ実装基板３４のＬＥＤチップ３３から発せられた光は、プリズムレンズ４０に入射して、プリズムパターン４２の傾斜面４２２で反射して、図４（Ｂ）において左方向へ屈折して照射される（図３（Ａ）参照）。
【００１７】
なお、図３（Ｂ）には、プリズムパターン４２をプリズムレンズ４０の入射面に設けた場合が示されている。図３（Ｂ）を図３（Ａ）と比較すると、配光状態は略同様であり、プリズムパターン４２は、プリズムレンズ４０の出射面側でも入射面側でも設けることが可能である。
【００１８】
また、図２（Ａ）に示すように、プリズムレンズ４０の出射面には、照射方向を示す表示部４３が設けられている。表示部４３は、プリズムレンズ４０によって光が屈折する方向を示しており、例えば、矢印や、三角形等の方向を示すことができるものを採用することができる。なお、図２（Ａ）においては、三角形を採用している。
【００１９】
図４（Ａ）および図４（Ｂ）に示すように、プリズムレンズ４０の出射面には、照射方向に突出した操作部としてのつまみ４４を一体的に設けることができる。
なお、図４（Ａ）は出射面にプリズムパターン４２を有する場合を示し、図４（Ｂ）は入射面にプリズムパターン４２を有する場合を示す。
従って、つまみ４４を指で操作することにより、プリズムレンズ４０を容易に回転させることができる。
【００２０】
また、図５（Ａ）および図５（Ｂ）に示すように、プリズムレンズ４０の出射面に操作部としての凹部４５を設け、例えば、Ｌ字形状の工具４６を凹部４５に挿入し、工具４６を操作してプリズムレンズ４０を回転させることができる。
なお、図５（Ａ）は出射面にプリズムパターン４２を有する場合を示し、図５（Ｂ）は入射面にプリズムパターン４２を有する場合を示す。
従って、工具４６を用いて、プリズムレンズ４０を容易に回転させることができる。この場合には、回転させるとき以外には、出射面から突出するものがないので、邪魔にならない。
【００２１】
以上、説明した本発明に係る実施形態の照明器具１０によれば、ＬＥＤ実装基板３４に実装されたＬＥＤチップ３３が発した光は、照射方向前方のプリズムレンズ４０に照射される。プリズムレンズ４０は、プリズムパターン４２が平行に設けられているので、プリズムレンズ４０に照射された光は、所定の方向へ屈折して照射される。
これにより、取付空間に制限がある場合においても、通常の照明器具を流用して、所望の方向へ光を照射することができる。
また、プリズムレンズ４０は回転可能なので、光の照射方向を調整でき、プリズムレンズ４０の照射方向を示す表示部４３を設けたので、照射方向を容易に把握することができる。
【００２２】
また、プリズムレンズ４０を回転させるためのつまみ４４を設けたので、容易にプリズムレンズ４０を回転させて、所望の方向へ光を照射できる。
あるいは、プリズムレンズ４０に凹部４５を設けたので、工具４６を用いて、容易にプリズムレンズ４０を回転させて、所望の方向へ光を照射できる。
【００２３】
なお、本発明の照明器具は、前述した実施形態に限定されるものでなく、適宜な変形，改良等が可能である。
例えば、前述した実施形態においては、図１に示すように、ＬＥＤ実装基板３４に１個のＬＥＤチップ３３を実装した場合について例示したが、本発明は、ＬＥＤ実装基板３４に複数のＬＥＤチップ３３を実装する場合にも適用可能である。
すなわち、図６に示すように、多数のＬＥＤチップ３３がＬＥＤ実装基板３４に実装されている場合にも、適用可能である。なお、図６においては、ＬＥＤチップ３３を表示するために、プリズムパターン４２の図示は省略しているが、前述したプリズムレンズ４０を使用することができる。
【符号の説明】
【００２４】
１０  照明器具
３３  ＬＥＤチップ
３４  ＬＥＤ実装基板
４０  プリズムレンズ（光学レンズ）
４２  プリズムパターン
４３  表示部
４４  つまみ（操作部）
４５  凹部（操作部）
【図１】
2013045710.tif 000003
【図２】
2013045710.tif 000004
【図３】
2013045710.tif 000005
【図４】
2013045710.tif 000006
【図５】
2013045710.tif 000007
【図６】
2013045710.tif 000008
【図７】
2013045710.tif 000009
【図８】
2013045710.tif 000010